(57)【要約】      （修正有）【課題】簡便な設備で、建物の免震基礎構造における免震装置のスライド用の空間を構築可能な浮き架台用型枠材及び浮き架台構造の施工方法を提供する。【解決手段】建物の下部基礎と上部基礎との間に、免震装置５がスライド可能な空間６を形成する浮き架台用型枠材であり、下部基礎上に載置される複数の長尺支持体と、複数の長尺支持体の上に載置される板体８を備え、長尺支持体は、下部基礎上に載置され、長尺支持体の長手方向に沿って傾斜した第一の傾斜面を上面に備えた下側部材７と、下側部材７上に重ねて載置され、下面に、第一の傾斜面に当接する第二の傾斜面を備えた上側部材７と、を備え、上側部材７及び下側部材７のうち、最初に空間から引き出される部材７は、部材７を引き出す引き出し治具を取付けるための引き出し治具取付部を備える。【選択図】図４
2014114639.tif 000002
【特許請求の範囲】
【請求項１】
建物の下部基礎と上部基礎との間に、免震装置がスライド可能な空間を形成する浮き架台用型枠材であって、
前記下部基礎上に載置される複数の長尺支持体と、該複数の長尺支持体の上に載置される板体と、を備え、
前記長尺支持体は、前記下部基礎上に載置され、前記長尺支持体の長手方向に沿って傾斜した第一の傾斜面を上面に備えた下側部材と、該下側部材上に重ねて載置され、下面に、前記第一の傾斜面に当接する第二の傾斜面を備えた上側部材と、を備え、
前記上側部材及び前記下側部材のうち、最初に前記空間から引き出される部材は、該部材を引き出す引き出し治具を取付けるための引き出し治具取付部を備えていることを特徴とする浮き架台用型枠材。
【請求項２】
前記上側部材と、前記下側部材は、該下側部材上に前記上側部材が重ねられた状態で、前記空間の前記下部基礎上に複数組配置され、
前記板体は、該板体が複数に分割された分割板が側方に並べられてなり、
隣り合う一対の前記分割板が互いに当接する当接面の下端線は、全長が、前記上側部材の上面の範囲内に含まれることを特徴とする請求項１記載の浮き架台用型枠材。
【請求項３】
前記複数の分割板のうち、最初に引き出される第一の分割板の側面は、前記空間から前記上側部材及び前記下側部材を引き出すための開口側が、前記開口の逆側よりも、前記第一の分割板の中央から遠くなるように、前記開口に対して傾斜していることを特徴とする請求項２記載の浮き架台用型枠材。
【請求項４】
前記第一の分割板の側面は、隣接する他の前記分割板の側面に係合する係合部を備え、
該係合部は、前記第一の分割板の側面の前記他の分割板の側面に対する上下方向の移動を規制することを特徴とする請求項３記載の浮き架台用型枠材。
【請求項５】
前記下側部材及び前記上側部材は、長手方向の一端に、厚さの薄い先端部を備えると共に、他端に、厚さの厚い厚肉端部を備えており、該厚肉端部から前記先端部にかけて、徐々に厚さが薄くなるように形成された楔状長尺体から形成され、
前記長尺支持体は、下側の前記楔状長尺体の前記先端部及び前記厚肉端部に、上側の前記楔状長尺体の前記厚肉端部及び前記先端部がそれぞれ重なるように、前記下側の前記楔状長尺体上に前記上側の楔状長尺体が重ねられて構成され、
前記上側又は前記下側の楔状長尺体は、前記厚肉端部が、前記開口側に位置するように配置され、
前記引き出し治具取付部は、前記厚肉端部側に設けられた前記引き出し治具が係止される係止孔からなることを特徴とする請求項１乃至４いずれか記載の浮き架台用型枠材。
【請求項６】
前記上側及び前記下側の楔状長尺体の少なくとも一方は、長尺方向の側面の前記厚肉端部側に、前記係止孔を備えていることを特徴とする請求項５記載の浮き架台用型枠材。
【請求項７】
前記上側及び前記下側の楔状長尺体の少なくとも一方は、一対の前記側面に、それぞれ、前記係止孔を備え、
前記一対の側面に設けられた一対の前記係止孔は、前記厚肉端部から同じ距離を隔てた位置に形成されていることを特徴とする請求項６記載の浮き架台用型枠材。
【請求項８】
前記上側及び前記下側の楔状長尺体のうち一方は、重ねられたときに他方の前記楔状長尺体に当接する面に、長尺方向に伸びる凸部を備え、前記他方の楔状長尺体は、重ねられたときに前記一方の前記楔状長尺体に当接する面に、前記凸部を収納可能な溝を備えることを特徴とする請求項５乃至７いずれか記載の浮き架台用型枠材。
【請求項９】
建物の下部基礎と上部基礎との間に免震装置がスライド可能な空間を形成する浮き架台構造の施工方法であって、
前記下部基礎上に、前記長尺支持体の長手方向に沿って傾斜した第一の傾斜面を上面に備えた下側部材を載置し、下面に、前記第一の傾斜面に当接する第二の傾斜面を備えた上側部材を、前記下側部材上に載置する手順を、複数回繰り返すことにより、前記下側部材と前記上側部材とからなる長尺支持体を前記下部基礎上に載置すると共に、前記下部基礎上に、前記免震装置を載置する工程と、
前記複数の長尺支持体の上に、板体を載置する工程と、
前記板体及び前記免震装置の上に、上部基礎を築造する工程と、
前記上側部材及び前記下側部材のうち、最初に前記空間から引き出される部材の引き出し治具取付部に、引き出し治具を取付けて、前記最初に前記空間から引き出される部材を取り出す工程と、を備えることを特徴とする浮き架台構造の施工方法。
【発明の詳細な説明】
【技術分野】
【０００１】
本発明は、特に、免震基礎構造の下部基礎と上部基礎との間に、免震装置がスライドする空間を形成する浮き架台用型枠材及び浮き架台構造の施工方法に関する。
【背景技術】
【０００２】
戸建住宅等の免震基礎構造として、地盤に接する下部基礎と建物に接する上部基礎との間に、水平方向に延びるスライド用の空間を設け、この空間内に、複数の免震装置と復元部材を適当間隔で配置するものが広く用いられている。
スライド用の空間を構築する場合には、下部基礎の上にジャッキを配置して型枠を設置しジャッキアップして上部基礎を築造することが一般的に行われてきた。
しかし、免震装置の配置位置が建物の垂直荷重を受ける支柱の直下であることから、特に支柱下部分のスライド用の空間としては、なるべく上下間隔を小さく設定してすべり支承のような比較的高さの低い免震装置を使用できるようにする技術が提案されている（例えば特許文献１）。
【０００３】
特許文献１では、免震基礎構造の下部基礎と上部基礎との間に免震装置のスライド用の空間を形成する際に、下部基礎を築造した後、下部基礎上面に、免震装置を配置すると共に、免震装置の周囲側方に所定間隔を置いて砂等の粒状物を所定高さに敷きつめ、免震装置及び粒状物の各上面に型枠を配置して上部基礎を築造する。その後、粒状物を高圧洗浄水により流出させ、粒状物上の型枠を除去する。
特許文献１の発明によれば、型枠を持ち上げるためのジャッキを使用しないので、免震基礎構造を上下方向にコンパクト化でき、その分、掘削深さを浅くすることができる。
【先行技術文献】
【特許文献】
【０００４】
【特許文献１】特許第４７２２８９２号公報
【発明の概要】
【発明が解決しようとする課題】
【０００５】
しかし、特許文献１の発明では、上部基礎を築造した後、粒状物を高圧洗浄水により流出させるため、高圧洗浄水用の設備を必要としており、より簡便な設備により、コンパクトな免震装置のスライド用の空間を形成可能な技術が望まれていた。
【０００６】
本発明は、上記の課題に鑑みてなされたものであり、本発明の目的は、簡便な設備で、建物の免震基礎構造における免震装置のスライド用の空間を構築可能な浮き架台用型枠材及び浮き架台構造の施工方法を提供することにある。
【課題を解決するための手段】
【０００７】
前記課題は、請求項１によれば、建物の下部基礎と上部基礎との間に、免震装置がスライド可能な空間を形成する浮き架台用型枠材であって、前記下部基礎上に載置される複数の長尺支持体と、該複数の長尺支持体の上に載置される板体と、を備え、前記長尺支持体は、前記下部基礎上に載置され、前記長尺支持体の長手方向に沿って傾斜した第一の傾斜面を上面に備えた下側部材と、該下側部材上に重ねて載置され、下面に、前記第一の傾斜面に当接する第二の傾斜面を備えた上側部材と、を備え、前記上側部材及び前記下側部材のうち、最初に前記空間から引き出される部材は、該部材を引き出す引き出し治具を取付けるための引き出し治具取付部を備えていること、により解決される。
【０００８】
このように構成しているため、上部基礎を築造した後に、複数の長尺支持体と板体を引き出すことにより、免震装置がスライド可能な空間を形成でき、簡単な設備で、簡便に、免震装置がスライド可能な空間を形成できる。
また、長尺支持体は、下部基礎上に載置され、長尺支持体の長手方向に沿って傾斜した第一の傾斜面を上面に備えた下側部材と、下側部材上に重ねて載置され、下面に、第一の傾斜面に当接する第二の傾斜面を備えた上側部材と、を備えるため、まず、下側部材又は上側部材の一方を引き出し、その次に、他方を引き出すことにより、容易に、長尺支持体を取り除くことができる。また、下側部材及び上側部材が、第一の傾斜面及び第二の傾斜面をそれぞれ備えるため、最初に引き出す部材の引き出し時に、第一の傾斜面及び第二の傾斜面によってガイドされ、最初に引き出す部材をスムーズに引き出すことができる。
また、上側部材及び下側部材のうち、最初に空間から引き出される部材は、部材を引き出す引き出し治具を取付けるための引き出し治具取付部を備えているため、建物の上部基礎からの荷重を受けて上側部材又は下側部材を素手では引き出せない場合でも、引き出し治具取付部に引き出し治具を取付けることにより、上側部材又は下側部材を小さな力で容易に引き出すことが可能となる。
【０００９】
このとき、前記上側部材と、前記下側部材は、該下側部材上に前記上側部材が重ねられた状態で、前記空間の前記下部基礎上に複数組配置され、前記板体は、該板体が複数に分割された分割板が側方に並べられてなり、隣り合う一対の前記分割板が互いに当接する当接面の下端線は、全長が、前記上側部材の上面の範囲内に含まれると好適である。
このように構成しているため、上側部材及び下側部材を空間から引き出した後、分割された分割板を一つずつ引き出すことにより、板体の全体を取り出すことができ、取り出し作業が容易になる。
また、隣り合う一対の分割板が互いに当接する当接面の下端線は、全長が、上側部材の上面の範囲内に含まれるため、板体を分割した分割線が、上側部材により支持され、板体が空間内で垂れさがることを防止でき、板体による型枠材としての役割を担保することができる。
【００１０】
このとき、前記複数の分割板のうち、最初に引き出される第一の分割板の側面は、前記空間から前記上側部材及び前記下側部材を引き出すための開口側が、前記開口の逆側よりも、前記第一の分割板の中央から遠くなるように、前記開口に対して傾斜していると好適である。
このように構成しているため、第一の分割板は、分割板を取り出す開口側が幅広となり、スムーズに第一の分割板を取り出すことができる。
【００１１】
また、前記第一の分割板の側面は、隣接する他の前記分割板の側面に係合する係合部を備え、該係合部は、前記第一の分割板の側面の前記他の分割板の側面に対する上下方向の移動を規制すると好適である。
このように構成しているので、分割板が相互に係合することとなり、分割板の端部が、上側部材の上面からずれた場合でも、空間内に垂れ下がることを防止できる。
【００１２】
また、前記下側部材及び前記上側部材は、長手方向の一端に、厚さの薄い先端部を備えると共に、他端に、厚さの厚い厚肉端部を備えており、該厚肉端部から前記先端部にかけて、徐々に厚さが薄くなるように形成された楔状長尺体から形成され、前記長尺支持体は、下側の前記楔状長尺体の前記先端部及び前記厚肉端部に、上側の前記楔状長尺体の前記厚肉端部及び前記先端部がそれぞれ重なるように、前記下側の前記楔状長尺体上に前記上側の楔状長尺体が重ねられて構成され、前記上側又は前記下側の楔状長尺体は、前記厚肉端部が、前記開口側に位置するように配置され、前記引き出し治具取付部は、前記厚肉端部側に設けられた前記引き出し治具が係止される係止孔からなると好適である。
【００１３】
このように、下側部材及び上側部材は、長手方向の一端に、厚さの薄い先端部を備えると共に、他端に、厚さの厚い厚肉端部を備えており、厚肉端部から先端部にかけて、徐々に厚さが薄くなるように形成された楔状長尺体から形成され、長尺支持体は、下側の楔状長尺体の先端部及び厚肉端部に、上側の楔状長尺体の厚肉端部及び先端部がそれぞれ重なるように、下側の楔状長尺体上に上側の楔状長尺体が重ねられて構成されているため、下側の楔状長尺体引き出し時に、下側の楔状長尺体の上面の傾斜面が、上側の楔状長尺体の下面によってガイドされ、スムーズに下側の楔状長尺体を引き出すことができる。
また、下側部材と上側部材の両端部間の領域で、下側部材と上側部材が当接するため、下側部材及び上側部材の一方を引き出す力が一旦掛かると、下側部材と上側部材の傾斜面の全長がスライド面となり、途中で引っかかることなく、スムーズに、その部材を引き出すことができる。
更に、上側又は下側の楔状長尺体は、厚肉端部が、空間から楔状長尺体を引き出すための開口側に位置するように配置されるため、上側及び下側の楔状長尺体のうち、最初に引き出したい方の楔状長尺体の厚肉端部を開口側に位置させることにより、その楔状長尺体を先に引き出すことができる。
また、引き出し治具取付部は、厚肉端部側に設けられた引き出し治具が係止される係止孔からなるため、引き出し治具を、係止孔に係止するだけで、楔状長尺体に取付けることができ、作業性がよい。
【００１４】
また、前記上側及び前記下側の楔状長尺体の少なくとも一方は、長尺方向の側面の前記厚肉端部側に、前記係止孔を備えていると好適である。
このように構成しているため、引き出し治具を、楔状長尺体の側面に沿って空間内に挿入し、側面に当てて係止孔に係止した後、引き出し治具を手前に引けばよいので、引き出し作業が単純となり、楔状長尺体の前面に係止孔を備える場合等と対比して、作業性を向上できる。
【００１５】
また、前記上側及び前記下側の楔状長尺体の少なくとも一方は、一対の前記側面に、それぞれ、前記係止孔を備え、前記一対の側面に設けられた一対の前記係止孔は、前記厚肉端部から同じ距離を隔てた位置に形成されていると好適である。
このように構成しているため、引き出し治具の係止部を、左右の側面に設けられた一対の係止孔に挿通させることが可能となり、引き出し治具からの引張力を、楔状長尺体の左右に均等に伝達できるため、小さな力で効率よく楔状長尺体を引き出すことが可能となる。
【００１６】
また、前記上側及び前記下側の楔状長尺体のうち一方は、重ねられたときに他方の前記楔状長尺体に当接する面に、長尺方向に伸びる凸部を備え、前記他方の楔状長尺体は、重ねられたときに前記一方の前記楔状長尺体に当接する面に、前記凸部を収納可能な溝を備えると好適である。
このように構成することにより、上側と下側の楔状長尺体を相互に係合させることができるため、下部基礎上に一対の楔状長尺体を重ね、その上に、板体を載せる作業を行うときに、上側の楔状長尺体が、下側の楔状長尺体上から落下することを防止できる。
【００１７】
前記課題は、請求項９によれば、建物の下部基礎と上部基礎との間に免震装置がスライド可能な空間を形成する浮き架台構造の施工方法であって、前記下部基礎上に、前記長尺支持体の長手方向に沿って傾斜した第一の傾斜面を上面に備えた下側部材を載置し、下面に、前記第一の傾斜面に当接する第二の傾斜面を備えた上側部材を、前記下側部材上に載置する手順を、複数回繰り返すことにより、前記下側部材と前記上側部材とからなる長尺支持体を前記下部基礎上に載置すると共に、前記下部基礎上に、前記免震装置を載置する工程と、前記複数の長尺支持体の上に、板体を載置する工程と、前記板体及び前記免震装置の上に、上部基礎を築造する工程と、前記上側部材及び前記下側部材のうち、最初に前記空間から引き出される部材の引き出し治具取付部に、引き出し治具を取付けて、前記最初に前記空間から引き出される部材を取り出す工程と、を備えること、により解決される。
【００１８】
このように構成しているので、上部基礎を築造した後に、複数の長尺支持体と板体を引き出すことにより、免震装置がスライド可能な空間を形成でき、簡単な設備で、簡便に、免震装置がスライド可能な空間を形成できる。
また、長尺支持体は、下部基礎上に載置され、長尺支持体の長手方向に沿って傾斜した第一の傾斜面を上面に備えた下側部材と、下側部材上に重ねて載置され、下面に、第一の傾斜面に当接する第二の傾斜面を備えた上側部材と、を備えるため、まず、下側部材又は上側部材の一方を引き出し、その次に、他方を引き出すことにより、容易に、長尺支持体を取り除くことができる。また、下側部材及び上側部材が、第一の傾斜面及び第二の傾斜面をそれぞれ備えるため、最初に引き出す部材の引き出し時に、第一の傾斜面及び第二の傾斜面によってガイドされ、最初に引き出す部材をスムーズに引き出すことができる。
また、前記上側部材及び前記下側部材のうち、最初に前記空間から引き出される部材の引き出し治具取付部に、引き出し治具を取付けて、前記最初に前記空間から引き出される部材を取り出す工程を備えているため、建物の上部基礎からの荷重を受けて上側部材又は下側部材を素手では引き出せない場合でも、引き出し治具取付部に引き出し治具を取付けることにより、上側部材又は下側部材を小さな力で容易に引き出すことが可能となる。
【発明の効果】
【００１９】
本発明によれば、上部基礎を築造した後に、複数の長尺支持体と板体を引き出すことにより、免震装置がスライド可能な空間を形成でき、簡単な設備で、簡便に、免震装置がスライド可能な空間を形成できる。
また、長尺支持体は、下部基礎上に載置され、長尺支持体の長手方向に沿って傾斜した第一の傾斜面を上面に備えた下側部材と、下側部材上に重ねて載置され、下面に、第一の傾斜面に当接する第二の傾斜面を備えた上側部材と、を備えるため、まず、下側部材又は上側部材の一方を引き出し、その次に、他方を引き出すことにより、容易に、長尺支持体を取り除くことができる。また、下側部材及び上側部材が、第一の傾斜面及び第二の傾斜面をそれぞれ備えるため、最初に引き出す部材の引き出し時に、第一の傾斜面及び第二の傾斜面によってガイドされ、最初に引き出す部材をスムーズに引き出すことができる。
また、上側部材及び下側部材のうち、最初に空間から引き出される部材は、部材を引き出す引き出し治具を取付けるための引き出し治具取付部を備えているため、建物の上部基礎からの荷重を受けて上側部材又は下側部材を素手では引き出せない場合でも、引き出し治具取付部に引き出し治具を取付けることにより、上側部材又は下側部材を小さな力で容易に引き出すことが可能となる。
【図面の簡単な説明】
【００２０】
【図１】本発明の一実施形態に係る浮き架台用型枠材が用いられる免震基礎構造を示す模式図である。
【図２】本発明の一実施形態に係る浮き架台用型枠材が用いられる免震基礎構造の外観斜視図である。
【図３】本発明の一実施形態に係る楔状長尺体の斜視図である。
【図４】本発明の一実施形態に係る楔状長尺体と板体の設置状態を示す斜視説明図である。
【図５】本発明の一実施形態に係る板体の設置状態を示す平面説明図である。
【図６】本発明に係る板体の変形例を示す斜視説明図である。
【図７】本発明の他の実施形態に係る楔状長尺体を示す斜視説明図である。
【図８】本発明の一実施形態に係る引き出し治具を示す斜視説明図である。
【図９】本発明の他の実施形態に係る引き出し治具を示す説明図である。
【図１０】本発明の更に他の実施形態に係る引き出し治具を示す説明図である。
【発明を実施するための形態】
【００２１】
以下、本発明の一実施形態に係る浮き架台用型枠材及び浮き架台構造の施工方法について、図１〜図１０を参照しながら説明する。
図１は、本発明の一実施形態に係る浮き架台用型枠材が用いられる免震基礎構造を示す模式図である。図２は、本発明の一実施形態に係る浮き架台用型枠材が用いられる免震基礎構造の外観斜視図である。図３は本発明の一実施形態に係る楔状長尺体の斜視図である。図４は、本発明の一実施形態に係る楔状長尺体と板体の設置状態を示す斜視説明図である。図５は、本発明の一実施形態に係る板体の設置状態を示す平面説明図である。図６は、本発明に係る板体の変形例を示す斜視説明図である。図７は、本発明の他の実施形態に係る楔状長尺体を示す斜視説明図である。図８は、本発明の一実施形態に係る引き出し治具を示す斜視説明図である。図９は、本発明の他の実施形態に係る引き出し治具を示す説明図である。図１０は、本発明の更に他の実施形態に係る引き出し治具を示す説明図である。
【００２２】
本実施の形態に係る浮き架台用型枠材は、戸建て住宅等の軽量建物の下部基礎と上部基礎との間に免震装置がスライド可能な空間を形成する型枠材であり、図１，図２に示す免震基礎構造を構築するために用いられる。
本実施形態の浮き架台用型枠材は、浮きＲＣ（Reinforced-Concrete；鉄筋コンクリート）架台用型枠材であって、ＲＣ架台用に用いられるが、これに限定されるものではなく、他の架台にも適用可能である。
【００２３】
＜免震基礎構造＞
本実施形態の浮き架台用型枠材が用いられる免震基礎構造１は、戸建て住宅の免震基礎構造である。戸建て住宅の免震構造は、下部基礎，免震装置，上部基礎，住人が居住する部分である上部構造が、順次築造されてなり、免震基礎構造１は、このうち、図１，図２に示すように、砕石，捨コンを介して地盤２上に築造された公知の下部基礎３，下部基礎３上に設置された免震装置５及び免震装置５上に築造された公知の上部基礎としてのＲＣ（鉄筋コンクリート）架台４からなる部分である。
【００２４】
下部基礎３とＲＣ架台４との間には、図２に示すように、免震装置５がスライドするための空間６が設けられ、この空間６に免震装置５が所定の間隔を置いて配置されている。空間６は、下部基礎３の上面及びＲＣ架台４の下面それぞれの全面に亘って、長細い帯状に延びている。下部基礎３とＲＣ架台４とは、直接当接することなく、ＲＣ架台４が、免震装置５を介して、下部基礎３に支持されている。
【００２５】
本実施形態の免震装置５は、公知のすべり免震支承を有する免震装置であり、摺動面となる下面に潤滑性被膜が形成された平滑板５ａと、四フッ化エチレン系樹脂等の摩擦及び摩耗性能に優れた樹脂組成物から形成された滑り板５ｂとが、平滑板５ａの潤滑性被膜を滑り板５ｂに当接させるように重ねて配置されてなる。
本実施形態では、平滑板５ａと滑り板５ｂとは、同一の平面形状を有する矩形板体からなり、上下に重ねて下部基礎３上に載置される。平滑板５ａと滑り板５ｂの空間６の幅方向の長さは、空間６の幅よりも若干短く形成されている。
【００２６】
＜浮き架台用型枠材＞
本実施形態では、下部基礎３とＲＣ架台４の間に空間６を形成するために、浮き架台用型枠材が用いられる。
本実施形態の浮き架台用型枠材は、図３，図４に示す楔状長尺体７と、図４，図５に示す板体８を備えている。
楔状長尺体７は、金属性からなり、長尺矩形平板状の下板部７１と、断面コの字状で、長手方向の一端から他端に向かって厚みが徐々に薄くなったテーパ枠部７２とが、溶接により一体に溶着されてなる。
テーパ枠部７２は、長尺矩形平板状の上板部７５と、上板部７５の幅方向の両端から垂直に立設された側部７６が、折り曲げ加工により一体形成されている。側部７６の長さは、先端部７３から厚肉端部７４に向かって徐々に厚くなっている。
楔状長尺体７は、全体として、断面が略矩形で、長手方向の一端の先端部７３から、他端の厚肉端部７４に向かって、厚みが徐々に厚くなる楔状の長尺中空体となっている。
一対の側部７６には、厚肉端部７４の近くに、矩形の係止孔７７が穿孔され、ＲＣ架台４を築造した後に、楔状長尺体７を空間６から引き出す際に用いられる引き出し治具９１，９２，９７を係止するために用いられる。
【００２７】
なお、本実施形態では、特許請求の範囲の引き出し治具取付部を、係止孔７７として構成しているが、引き出し治具９１，９２，９７をボルト締めするボルト孔等により構成してもよい。
また、本実施形態では、厚肉端部７４が矩形の開口として構成されているが、厚肉端部７４の開口を閉じるように、楔状長尺体７の長尺方向に垂直な面を備えていてもよい。この面を貫通する貫通孔が穿孔され、この貫通孔を、引き出し治具９１，９２，９７を係止する引き出し治具取付部として構成してもよい。
【００２８】
なお、本実施形態では、特許請求の範囲の上側部材及び下側部材として、同一の楔状長尺体７を用いているが、これに限定されるものではなく、上側部材と下側部材とを異なる形状のものから構成してもよい。
また、特許請求の範囲の上側部材及び下側部材は、下側部材が、長手方向に沿って傾斜した傾斜面を備え、上側部材が、この斜面に当接する傾斜面を備えると共に、上側部材を下側部材上に重ねたときに、上側部材の下面が、下側部材により持ち上げられて空間６内で浮いた状態となって、下部基礎３に接しなければよく、楔状長尺体７とは異なる形状から構成してもよい。
【００２９】
板体８は、空間６のうち免震装置５に挟まれた部分の水平方向の形状と同形状からなる長方形の木製板体からなる。板体８は、空間６の長手方向に３つに分割され、図４に示すように、３つの分割板８１〜８３から構成されている。
３つの分割板８１〜８３のうち、中央の分割板８２は、台形状に形成されている。中央の分割板８２が両側の分割板８１，８３と接する端辺８２ａ，８２ｂは、開口６１側が開口６１逆側よりも、分割板８２の中央から遠くなるよう、空間６の幅方向に対して傾斜している。
また、分割板８２の左右両側に配置される分割板８１，８３は、台形状に形成されている。分割板８２と接する端辺８１ａ，８３ｂは、開口６１側が開口６１逆側よりも、分割板８１，８３それぞれの中央に近くなるよう、開口６１に垂直な方向に対して傾斜している。
また、端辺８１ａ，８２ａ，８２ｂ，８３ｂは、楔状長尺体７の幅の範囲内において傾斜している。
【００３０】
本実施形態の板体８は、図５のように、下部基礎３上に載置された４組の楔状長尺体７上に、それぞれの端辺８１ａ，８２ａ，８２ｂ，８３ｂが載り、端辺８１ａ，８２ａ，８２ｂ，８３ｂを互いに当接させて配置される。
本実施形態の板体８の代わりに、図６の分割板８１´〜８３´を備えた板体８´を用いてもよい。図６の板体８´では、中央の分割板８２´の左右端辺８２ａ´，８２ｂ´には、上方が突出した段差８２ｃ´，８２ｄ´が、左右端辺８２ａ´，８２ｂ´の全長に亘って形成されている。
また、左右両側の分割板８１´，８３´の中央の分割板８２´側の端辺８１ａ´，８３ｂ´には、下方が突出した段差８１ｄ´，８３ｃ´が、端辺８１ａ´，８３ｂ´の全長に亘って形成されている。
従って、分割板８１´〜８３´を、下部基礎３上に載置された４組の楔状長尺体７上に載せたときに、段差８１ｄ´と段差８２ｄ´が当接して相互に係止し、段差８３ｃ´と段差８２ｃ´が当接して相互に係止する。このとき、左右両側の分割板８１´，８３´の段差８１ｄ´，８３ｃ´が、下方が突出しているので、段差８１ｄ´，８３ｃ´の上に中央の分割板８２´の両端辺８２ａ´，８２ｂ´を支持することとなり、中央の分割板８２´の両端辺８２ａ´，８２ｂ´が楔状長尺体７上から抜け落ちて空間６内に垂れ下がることを防止できる。
また、段差８１ｄ´，８２ｃ´，８２ｄ´，８３ｃ´が設けられているため、隣接する分割板８２´と分割板８１´，８３´の間に隙間ができることが防止され、ＲＣ架台４築造時に、隙間から空間６内にコンクリート中のセメントペーストが垂れることを防止できる。
【００３１】
また、本実施形態の楔状長尺体７の代わりに、図７の楔状長尺体７８，７９を用いてもよい。楔状長尺体７８には、上板部７５の幅方向の中央に、楔状長尺体の長尺方向の両端部間に、長尺方向に沿って伸びる溝７８ａが形成されている。
また、楔状長尺体７９には、上板部７５の幅方向の中央に、楔状長尺体の長尺方向の両端部間に、長尺方向に沿って伸びる凸部７９ａが形成されている。
溝７８ａの幅は、凸部７９ａの幅よりも若干広く形成され、溝７８ａの深さは、凸部７９ａの高さよりも若干大きく形成されており、楔状長尺体７８と楔状長尺体７９とを、それぞれ上板部７５を当接させて重ねたときに、凸部７９ａが溝７８ａ内に遊びを持って収納される。
このように、楔状長尺体７８，７９を用いることにより、下部基礎３上に一対の楔状長尺体７８，７９を重ね、その上に、板体８を載せる作業を行うときに、上側の楔状長尺体７９が、下側の楔状長尺体７８上から落下することを防止できる。
なお、凸部７９ａを有する楔状長尺体７９を下側、溝７８ａを有する楔状長尺体７８を上側にして重ねてもよい。
【００３２】
＜引き出し治具＞
ＲＣ架台４築造後に、楔状長尺体７を空間６から引き出すための引き出し治具９１を、図８に示す。
図８の引き出し治具９１は、連結部９１ｃの両端から、係合部９１ａと把持部９１ｂがそれぞれ垂直に突設された略コの字状の板状体からなる。引き出し治具９１は、係合部９１ａを、楔状長尺体７の左右の側部７６に設けられた一対の係止孔７７を貫通させて係止させて、把持部９１ｂを、作業者が引っ張ることにより、楔状長尺体７を空間６から引き出すものである。
【００３３】
図９に、他の実施形態に係る引き出し治具９２を示す。引き出し治具９２は、図８の引き出し治具９１と同様の構成からなる引き出し板９３と、引き出し板９３の把持部９３ｂに一体に溶接され、把持部９３ｂから垂直に延びるボルト９４と、断面コの字状の支持部材９５とを備えている。
支持部材９５は、板部９５ａの両端部から一対の壁部９５ｂが立設された断面コの字状からなり、板部９５ａの中央に、板部９５ａを貫通するボルト孔９６が穿設されている。このボルト孔９６には、ボルト９４が螺合している。
図９の引き出し治具９２は、ボルト９４を緩めた状態で、一方の壁部９５ｂを下部基礎３に当接させ、他方の壁部９５ｂをＲＣ架台４に当接させて、引き出し板９３の不図示の係止部を楔状長尺体７の左右の側部７６に設けられた一対の係止孔７７を貫通させて係止させてから、ボルト９４を徐々に締めることにより、楔状長尺体７を空間６から引き出すものである。
図９の引き出し治具９２を用いることにより、図８の引き出し治具９１では、固くて楔状長尺体７を引き出すことができない場合でも、楔状長尺体７を引き出すことが可能となる。
【００３４】
図１０に、更に他の実施形態に係る引き出し治具９７を示す。引き出し治具９７は、長尺板状の連結部９７ｃの両端から、係合部９７ａと把持部９７ｂがそれぞれ垂直に突設された略コの字状の板状体からなる。係合部９７ａ，把持部９７ｂ，連結部９７ｃは、同一平面を形成しており、連結部９７ｃから把持部９７ｂへ連続する領域には、係合部９７ａ，把持部９７ｂ，連結部９７ｃによって形成される平面から垂直に、略矩形の板体からなる起立部９７ｄが立設されている。起立部９７ｄは、平面部分が連結部９７ｃの長尺方向に伸びるよう、連結部９７ｃの一方の面に溶接固定されている。
引き出し治具９７は、係合部９７ａを、楔状長尺体７の左右の側部７６に設けられた一対の係止孔７７を貫通させて係止させて、把持部９７ｂを、作業者の片手で支え、起立部９７ｄを係合部９７ａに近い側からハンマーで叩くことにより、楔状長尺体７を空間６から引き出すものである。
このように、連結部９７ｃを長尺とし、係合部９７ａから離れた位置に、起立部９７ｄを設けているので、起立部９７ｄをハンマーで叩くことが可能となり、図８の引き出し治具９１では、固くて楔状長尺体７を引き出すことができない場合でも、楔状長尺体７を引き出すことが可能となる。
【００３５】
＜浮き架台構造の施工方法＞
本実施形態の浮き架台用型枠材を用いて、戸建て住宅の免震基礎構造に用いられる浮き架台構造を施工する方法について説明する。
まず、下部基礎３を、常法によりコンクリートを打設し養生固化することにより築造する基礎工事を行う。
次に、下部基礎３上の、建物の垂直荷重を受ける各支柱下となる位置に、免震装置５を配置し、常法により、コンクリート垂れ防止機構を設置する。
次いで、下部基礎３上の複数の免震装置５の間に形成された空間６に、複数対の楔状長尺体７を配置する。
【００３６】
まず、楔状長尺体７を、下板部７１を下にして、長手方向が、開口６１に垂直になるように、下部基礎３上に配置する。このとき、厚肉端部７４が、下部基礎３の開口６１側の端辺上に位置するようにする。
次いで、この楔状長尺体７の上に、もう一つの楔状長尺体７を、下板部７１を上にして、先端部７３が、下方の楔状長尺体７の厚肉端部７４上に位置し、厚肉端部７４が、下方の楔状長尺体７の先端部７３上に位置するように、重ねて配置する。このとき、下方の楔状長尺体７の上面を、上方の楔状長尺体７によって完全に被覆し、下方の楔状長尺体７の上面のすべての部分が、上方の楔状長尺体７の上面よりも下方に位置するようにする。
また、上方の楔状長尺体７の全体が、下方の楔状長尺体７に載っており、上方の楔状長尺体７の下面が、下部基礎３に当接しないようにする。
【００３７】
このように、一対の楔状長尺体７を上下に重ねたものを、図４，図５に示すように、免震装置５に隣接した位置の２箇所と、免震装置５間の空間６を、下部基礎３の長手方向に三等分する２箇所との合計４箇所に配置する。
次いで、楔状長尺体７の上に、板体８を載置する。このとき、端辺８１ａ，８２ａ，８２ｂ，８３ｂのすべての部分が、楔状長尺体７の上面上に載るようにする。
その後、ＲＣ架台４の不図示の型枠を常法により設置し、常法によりコンクリートを打設し、養生固化してＲＣ架台４を築造する。ＲＣ架台４上に、上部構造を築造して、戸建て住宅を築造する。
【００３８】
その後、楔状長尺体７及び板体８を空間６から引き出す。
この工程では、まず、引き出し治具９１の係合部９１ａを、上下に重ねられた一対の楔状長尺体７のうち、下側の楔状長尺体７の係止孔７７に係合させ、把持部９１ｂを引くことにより、下側の楔状長尺体７を引き出す。下側の楔状長尺体７を引き出すことにより、上側の楔状長尺体７が下部基礎３上に落下し、板体８との間に隙間ができるため、手で上側の楔状長尺体７を引き出す。
同様にして、他の対になった楔状長尺体７もすべて引き出す。
その後、板体８を構成する分割板８１，８２，８３のうち、中央の分割板８２を引き出す。中央の分割板８２は、両端辺８２ａ，８２ｂが、開口６１側が開口６１逆側よりも幅広になるように傾斜しているため、容易に取り出すことができる。
続いて、分割板８１，８３を取り出す。
楔状長尺体７及び板体８を、すべての空間６から引き出した後、開口６１を、カバーやエクスパンションジョイント等の遮蔽部材で遮蔽して、浮き架台構造の施工を完了する。
【００３９】
本実施形態では、下側の楔状長尺体７を引き出すときに、上側の楔状長尺体７と当接する傾斜面がガイドとなって、スムーズに下側の楔状長尺体７を引き出すことができる。更に、楔状長尺体７の長手方向の断面が、概略直角三角形となっているため、下側と上側の楔状長尺体７が当接する傾斜面を長く構成できる。これにより、空間６内に設置したときには、楔状長尺体７が開口６１から滑り出しにくくすることができると同時に、下側の楔状長尺体７を引き出すときには、ガイドとなる傾斜面が長くなり、より円滑に引き出すことが可能となる。
なお、本実施形態では、下側の楔状長尺体７の厚肉端部７４及び上側の楔状長尺体７の先端部７３を開口６１側に配置しているが、下側の楔状長尺体７の先端部７３及び上側の楔状長尺体７の厚肉端部７４を開口６１側に配置し、上側の楔状長尺体７を先に引き抜くようにしてもよい。
【符号の説明】
【００４０】
１  免震基礎構造
２  地盤
３  下部基礎
４  ＲＣ架台
５  免震装置
５ａ  平滑板
５ｂ  滑り板
６  空間
７，７８，７９  楔状長尺体
８，８´  板体
６１  開口
７１  下板部
７２  テーパ枠部
７３  先端部
７４  厚肉端部
７５  上板部
７６  側部
７７  係止孔
７８ａ  溝
７９ａ  凸部
８１，８２，８３，８１´，８２´，８３´  分割板
８１ａ，８１ｂ，８２ａ，８２ｂ，８３ａ，８３ｂ，８１ａ´，８２ａ´，８２ｂ´，８３ｂ´  端辺
８１ｄ´，８２ｃ´，８２ｄ´，８３ｃ´  段差
９１，９２，９７  引き出し治具
９１ａ，９７ａ  係合部
９１ｂ，９３ｂ，９７ｂ  把持部
９１ｃ，９７ｃ  連結部
９３  引き出し板
９４  ボルト
９５  支持部材
９５ａ  板部
９５ｂ  壁部
９６  ボルト孔
９７ｄ  起立部
【図１】
2014114639.tif 000003
【図２】
2014114639.tif 000004
【図３】
2014114639.tif 000005
【図４】
2014114639.tif 000006
【図５】
2014114639.tif 000007
【図６】
2014114639.tif 000008
【図７】
2014114639.tif 000009
【図８】
2014114639.tif 000010
【図９】
2014114639.tif 000011
【図１０】
2014114639.tif 000012